(57)【要約】【課題】従来の手洗・乾燥・消毒装置の改良が求められている。【解決手段】高濃度の石鹸液を水で希釈して手洗浄用の石鹸水を蛇口から吐出可能であり、その蛇口から手の水洗い用の水をも吐出可能な石鹸洗浄装置の下に、前記水洗いにより手から洗い流された石鹸水及び水を流す流し台を設けた洗浄ユニットと、水洗いした手を乾燥させる乾燥機の上に霧状のアルコールを手に噴霧するアルコール消毒機を配置した乾燥・消毒ユニットとを、横に並べてセットにした。洗浄ユニットを二台以上横に並べ、それら洗浄ユニットの左右双方又はいずれか一方の横に前記乾燥・消毒ユニットを一台並べた。【選択図】　　　図１
2004011315.tif 000002
【特許請求の範囲】
【請求項１】
石鹸液を水で希釈して手洗浄用の石鹸水を蛇口から吐出可能であり、且つその蛇口から手を水洗いするための水をも吐出可能な石鹸洗浄装置の下に、流し台を設けた洗浄ユニットと、水洗いした手を乾燥させる乾燥機の上に、霧状のアルコールを手に噴霧するアルコール消毒機を配置した乾燥・消毒ユニットとを、横に並べてセットにしたことを特徴とする手の洗浄・乾燥・消毒セット。
【請求項２】
請求項１記載の手の洗浄・乾燥・消毒セットにおいて、洗浄ユニットを二台以上横に並べ、それら洗浄ユニットの左右双方又はいずれか一方の横に前記乾燥・消毒ユニットを一台並べたことを特徴とする手の洗浄・乾燥・消毒セット。
【請求項３】
請求項１又は請求項２記載の手の洗浄・乾燥・消毒セットにおいて、乾燥機が高速空気を噴射する高速空気噴射ノズルと、温風を噴射する温風噴射ノズルとを備え、両ノズルが前後及び上下に移動可能であることを特徴とする手の洗浄・乾燥・消毒セット。
【請求項４】
請求項１乃至請求項３のいずれかに記載の手の洗浄・乾燥・消毒セットにおいて、乾燥機の手の出し入れ口が、流し台の横に開口して、流し台で水洗いした手を横移動させて乾燥機に差し込み可能としたことを特徴とする手の洗浄・乾燥・消毒セット。
【請求項５】
請求項１乃至請求項４のいずれかに記載の手の洗浄・乾燥・消毒セットにおいて、消毒機から噴霧された余剰消毒液が消毒機内で回収されて、流し台の排水管に送り出されるようにしたことを特徴とする手の洗浄・乾燥・消毒セット。
【発明の詳細な説明】
【０００１】
【発明の属する技術分野】
本発明は手の洗浄、乾燥、消毒を順次自動的に行なうことができる自動手洗・乾燥・消毒セットに関するものである。
【０００２】
【従来の技術】
食品工場の出入り口、洗面所の出入り口などには食品の衛生管理上、手洗・乾燥・消毒装置が設置されている。その装置で石鹸水での手の洗浄、水洗い、手の乾燥、アルコールでの手の消毒といった一連の手洗いを確実に行なわないと、電気錠が開錠されず出入り口のオートドアが開かないようにして、前記手洗・乾燥・消毒を強制的に行なわせるようにしてある。
【０００３】
前記強制手洗・乾燥・消毒装置の一例として特公平４−５３５３０号に開示されたものがある。それは図５に示すように、蛇口の下に手を差し出すと自動的に石鹸液が出て石鹸液で手をもみ洗いする石鹸液洗浄部と、自動的に水が出て手に付着している石鹸液を洗い流す水洗い部と、自動で強風が吹き出て手を乾燥する乾燥部と、殺菌用アルコールが噴霧されて手を消毒する消毒部とを供え、どの工程でも手を差し出して所定時間だけ手のもみ洗い、水洗い、乾燥、消毒をしないと、電気錠が開かず出入り口のオートドアが開かないようにして、手のもみ洗い、水洗い、乾燥、消毒を強制的に行なわざるを得ないようにしてある。
【０００４】
【発明が解決しようとする課題】
従来の前記した強制洗浄装置には特に問題は無いが、石鹸液洗浄機、水洗い装置、乾燥機、消毒機が個別になっているため、それらの設置スペースが広く必要になる。また、それら機器の搬出、搬入、移動、設置などが面倒であるといった課題もあった。そのため、それら機器のコンパクト化、搬入、搬出の容易化などが要請されている。
【０００５】
【課題を解決するための手段】
本発明はコンパクトで設置スペースをとらず、移動、増設などが容易で、汚れにくく、掃除し易い、手洗・乾燥・消毒装置を提供するところにある。また、近年の食品分野での衛生管理への意識の高まりから、近い将来の導入が予想される世界的に通用するＨＡＣＣＰシステム（Ｈａｚａｒｄ　Ａｎａｌｙｓｉｓ　Ｃｒｉｔｉｃａｌ　Ｃｏｎｔｒｏｌ　Ｐｏｉｎｔｓ　Ｓｙｓｔｅｍ：危害分析重要管理点システム）とも適合し易い手洗・乾燥・消毒装置を提供するところにもある。
【０００６】
本件出願の請求項１の手の洗浄・乾燥・消毒装置は、石鹸液を水で希釈して手洗浄用の石鹸水を蛇口から吐出可能であり、且つその蛇口から手を水洗いするための水をも吐出可能な石鹸洗浄装置の下に、流し台を設けた洗浄ユニットと、水洗いした手を乾燥させる乾燥機の上に、霧状のアルコールを手に噴霧するアルコール消毒機を配置した乾燥・消毒ユニットとを、横に並べてセットにしたものである。
【０００７】
本件出願の請求項２の手の洗浄・乾燥・消毒装置は、請求項１記載の手の洗浄・乾燥・消毒セットにおいて、洗浄ユニットを二台以上横に並べ、それら洗浄ユニットの左右双方又はいずれか一方の横に前記乾燥・消毒ユニットを一台並べたものである。
【０００８】
本件出願の請求項３の手の洗浄・乾燥・消毒装置は、請求項１又は請求項２記載の手の洗浄・乾燥・消毒セットにおいて、乾燥機が高速空気を噴射する高速空気噴射ノズルと、温風を噴射する温風噴射ノズルとを備え、両ノズルが前後及び上下に移動可能としたものである。
【０００９】
本件出願の請求項４の手の洗浄・乾燥・消毒装置は、請求項１乃至請求項３のいずれかに記載の手の洗浄・乾燥・消毒セットにおいて、乾燥機の手の出し入れ口が、流し台の横に開口して、流し台で水洗いした手を横移動させて乾燥機に差し込み可能としたものである。
【００１０】
本件出願の請求項５の手の洗浄・乾燥・消毒装置は、請求項１乃至請求項４のいずれかに記載の手の洗浄・乾燥・消毒セットにおいて、消毒機から噴霧された余剰消毒液が消毒機内で回収されて、流し台の排水管に送り出されるようにしたものである。
【００１１】
【発明の実施の形態】
（実施形態１）
本発明の手の洗浄・乾燥・消毒セットの実施形態の一例を図面に基づいて説明する。図１では石鹸洗浄装置３の下に流し台４を配置した洗浄ユニット１を左側に、乾燥機５の上にアルコール消毒機６を配置した乾燥・消毒ユニット２を右側に配置し、両ユニット１、２を側面で連接してセットにしてある。
【００１２】
石鹸洗浄装置３は高濃度の石鹸液を水で希釈して得た石鹸水を蛇口７の内側出口２５から吐出し、蛇口７の外側出口２６から水を吐出するようにしてある。流し台４は手に付着した石鹸水を前記外側出口２６から流れ出る水で洗い流すためのものである。乾燥機５は手を差し込むと高速空気と温風が出て手が乾燥されるようにしてある。アルコール消毒機６はアルコールを超微細の霧状にして噴霧して、内部に差し込んだ手を消毒するものである。手から流れ落ちた消毒液や、手の外側に噴霧された消毒液などはアルコール消毒機６内で回収されて、流し台４の排水管に送り込まれるようにしてある。流し台４は石鹸水や水を回収するものである。
【００１３】
前記石鹸洗浄装置３はケース１０内に図２に示す石鹸液タンク１１、電磁ポンプ１２、ソレノイド１３が内蔵されている。電磁ポンプ１２には石鹸液を導入する石鹸液導入口１４と、石鹸液を水で希釈する希釈室１５と、石鹸液を石鹸液導入口１４から吸引して希釈室１５に送り出すポンプ室１６が形成されている。
【００１４】
石鹸液タンク１１は石鹸液導入口１４に配管され、希釈室１５には給水管２３が配管され、希釈室１５からは排出管２４が導出され、その排出管２４の先に蛇口７が連結されている。蛇口７は内側出口２５と、その外側の外側出口２６とが同心円状に形成されている。内側出口２５、外側出口２６は液体がシャワー状に出るものでも、水流状、霧状、泡状のようなシャワー状以外の吐出形態を取り得るものでもよい。内側出口２５には排出管２４が連結され、外側出口２６には外部水道管に連結されている配水管２７が連結されている。給水管２３は電磁バルブ２９により、配水管２７は電磁バルブ３０により開閉される。それら電磁バルブ２９、３０の開閉時間は自動的に制御される。開閉時間の制御は次のようにして行なわれる。
【００１５】
石鹸液導入口１４にはポンプ室１６の石鹸液が石鹸液タンク１１に逆流するのを防止する導入口逆止弁１７が配置され、希釈室１５内にはその内部の石鹸水がポンプ室１６内に逆流するのを防止するための希釈室逆止弁１８が配置されている。導入口逆止弁１７は通常はスプリング１９により石鹸液導入口１４に押し付けられてポンプ室１６を閉塞し、希釈室逆止弁１８は通常はスプリング２１により希釈室１５の出入口２２に押し付けられて出入口２２を閉塞している。
【００１６】
ポンプ室１６の底にはダイアフラム３１が取付けられている。ダイアフラム３１は通常はスプリング３２により下方に押されているが、ソレノイド１３により駆動されるとポンプ室側とその反対側とに往復変動可能としてある。
【００１７】
図１に示す石鹸洗浄装置３のセンサ３５は図２のように蛇口７の付近に設けられている。このセンサ３５は赤外線センサ、光電センサ、近接スイッチ等の各種センサを使用することができる。
【００１８】
石鹸洗浄装置３の動作を図２に基づいて説明する。蛇口７の下に手を差し出すと、蛇口７の近くに配置されているセンサ３５が手を検知し、その検知に基づいてソレノイド１３が作動してプランジャ３４が押し上げられ、ダイアフラム３１がポンプ室１６内に押される。このため、ポンプ室１６内に溜まっていた石鹸液が希釈室１５内に送り出される。このとき、給水管２３の電磁バルブ２９が開いて水が希釈室１５内に供給され、この水により石鹸液が希釈されて石鹸水が作られ、それが排出管２４に吐出され、蛇口７の内側出口２５から流出し、蛇口７の下に差し出している手にかかる。しばらく（予め設定してある時間：数秒〜数十秒）経過すると石鹸水の供給が停止され、前記電磁バルブ２９が閉じる。同時に配水管２７の電磁バルブ３０が開いて水道水が蛇口７の外側出口２６に供給されてそこから流出する。これが手にかかって、手に付着している石鹸水が洗い流される。電磁バルブ２９、３０が開くタイミングと、開いている時間（閉じるタイミング）も予め設定されている。この間、スプリング１９に押された導入口逆止弁１７によって石鹸液導入口１４が閉じられている。
【００１９】
前記の作動開始から所定時間経過して手洗いが終わるとソレノイド１３は逆方向に作動し、プランジャ３４も前記と逆方向に作動し、ダイアフラム３１がスプリング３２でポンプ室１６の外側に押し戻される。これによりポンプ室１６内が負圧になり、希釈室１５内の希釈室逆止弁１８がスプリング２１で押されて、希釈室１５の出入口２２が閉じられる。同時に、石鹸液導入口１４の導入口逆止弁１７が開いて、石鹸液タンク１１内の石鹸液がポンプ室１６内に吸引されて貯まる。所定時間経過して石鹸液がポンプ室１６内に所定量貯まると、ポンプ室１６内が増圧し、石鹸液導入口１４の導入口逆止弁１７がスプリング１９で押し戻されて石鹸液導入口１４が閉じられる。洗い流された石鹸液や水は、図１の流し台４に流れて、外部に排出される。
【００２０】
図１に示すように、石鹸洗浄装置３のケース１０の正面には手洗いの残り時間、石鹸の残量、時刻等をデジタル表示可能なディスプレイ３８が設けられている。また、石鹸水での手洗いを途中で中断した場合の警告音などを出力するスピーカ４０が備えられている。
【００２１】
図１に示す乾燥機５は箱状に成形されたケース４１内に、両手を横に並べて差し入み可能な広さの手差し空間４２があり、その手差し空間４２はケース４１の上面に開口して、上面の手の出し入れ口３９から手を出し入れできるようにしてある。図３に示すように手差し空間４２の両側の対向位置にはブラケット４３があり、夫々のブラケット４３には温風噴射ノズル４４と高速空気噴射ノズル４５とが上下に配置されている。温風噴射ノズル４４にはヒータ４６と除湿機４７と送風機４８とが接続されて、送風機４８から風を送り出すと、その空気が除湿機４７で除湿され、ヒータ４６の熱を温風噴射ノズル４４に送り出すようにしてある。高速空気噴射ノズル４５には送風機４９が接続され、それから送り出される高速空気が高速空気噴射ノズル４５から噴射されるようにしてある。前記ヒータ４６には赤外線又は遠赤外線ヒーターが適する。
【００２２】
夫々のブラケット４３は駆動機構５０により上下および左右（差し込んだ手の幅方向）に往復移動自在としてある。上下及び左右への移動は別々でも、同時でもよい。
【００２３】
図３のセンサ３６は手差し空間４２に手が差し込まれたことを感知するためのものである。送風機４８、４９はセンサ３６が手を感知し、前記洗浄装置での手洗完了信号が得られると作動するようにし、一定時間作動すると自動的に停止するようにしてある。
【００２４】
図１、図２のアルコール消毒機６は図４に示すように両手を別々に差し込むためのチャンバー５２が二つ形成され、チャンバー５２の内部に噴霧ノズル５３が設けられ、ケース５１内にアルコールタンク５４と、電磁ポンプ４０と、センサ３７が設けられている。チャンバー５２に手を差し込むとセンサ３７が感知する。このとき、前記乾燥機５から乾燥完了信号が送られていると、前記電磁ポンプ４０が作動してアルコールタンク５４から消毒用アルコールが導出され、噴霧ノズル５３から超微細な霧状に噴出される。噴霧は所定時間経過すると自動的に終了する。前記ケース５１内は、手にかからずに落下した余剰のアルコールを回収して、前記流し台４の排水管に送り込むことができるようにしてある。
【００２５】
次に、本発明の手の洗浄・乾燥・消毒セットの使用例を説明する。石鹸洗浄装置３の動作は次のようになる。
（１）図１の石鹸洗浄装置３の蛇口７付近に手をかざすと、センサ３５が手を感知し、ソレノイド１３が作動する。
（２）ソレノイド１３の作動により図２のプランジャ３４が上に動き、ダイアフラム３１が押し上げられてポンプ室１６内へと突出する。これによって、ポンプ室１６内の石鹸液が希釈室１５内に送り込まれる。同時に電磁バルブ２９が開いて希釈室１５内に水が送り込まれ、石鹸液が希釈室１５内で希釈される。所定の濃度（約１０倍）に希釈されたら、電磁バルブ２９が閉じて石鹸水が得られる。その石鹸水は蛇口７から流出して手にかかる。その場で手をもみ洗いする。
（３）しばらくすると、電磁バルブ３０が開いて前記外側出口２６から水が流出し、手に付着している洗浄液が洗い流され、流し台４に落下する。
（４）手の洗浄が完了すると手洗い完了信号が乾燥機５に送られる。
（５）前記（３）では、手洗い用の水は電磁バルブ３０のみが開いて外側出口２６より流出しているが、この時前記（２）で一旦閉じた電磁バルブ２９を再度開いて、蛇口７の内側出口２５と外側出口２６との双方から水を流出させることも可能である。
【００２６】
図１、図３の乾燥機５の動作は次のようになる。
（１）水洗いが終わった両手を乾燥機５の手差し空間４２に差し込むと、図３のセンサ３６が手を感知する。その感知信号と、前記手洗い完了信号との双方が得られると、乾燥機５が作動する。
（２）送風機４９から高速空気が下段の高速空気噴射ノズル４５へ送られて一定時間噴出され、それにより、手の表面の水滴を吹き飛ばす。また、他の送風機４８から送られる空気は、除湿機４７で除湿され、ヒータ４６の熱をのせた温風が上段の温風噴射ノズル４４に送られ、そこから温風が一定時間噴出される。それにより、手の表面の水分が蒸発し、乾燥が早まる。
（３）前記両ノズル４４、４５はノズル駆動機構５０によって左右に往復振動しながら昇降して、手全体をもれなく乾燥させる。
（４）乾燥機５が終了すると、次工程のアルコール消毒機６に乾燥完了信号が送られる。
【００２７】
図１、図４のアルコール消毒機６の動作は次のようになる。
（１）アルコール消毒機６の左右のチャンバー５２に左右の手を別々に入れると、センサ３７が手を感知する。この感知信号と、前記乾燥完了信号とが得られるとアルコール消毒機６の電磁ポンプ４０（図４）が作動する。
（２）電磁ポンプ４０によりアルコールタンク５４内の消毒用アルコールが導出されて、各手差し込み口内の噴霧ノズル５３に送り込まれ、噴霧ノズル５３から霧状に噴霧される。噴霧は予め設定されている所定時間継続される。
（３）消毒が中断することなく所定時間継続されると消毒が完了する。
（４）消毒の完了により、手の洗浄、乾燥、消毒が完了し、消毒完了信号がたとえば、工場や洗面所の出入り口のドア制御部に送られて、ドアが開閉する。
【００２８】
（その他の実施形態）
前記実施形態１では洗浄ユニット１を左側に、乾燥・消毒ユニット２を右側に設置してあるが、左右を入れ替えて配置することも可能である。また、ユニットは必ずしも手の洗浄ユニット一つに付き乾燥・消毒ユニット一つとは限らず、ユニット単位で一方又は双方を増設することも可能である。たとえば、洗浄ユニットを二台以上並べ、乾燥・消毒ユニットを一台といったように組み合わせることもできる。
【００２９】
図１に示した乾燥機５は手の出し入れ口３９が上にあるが、手の出し入れ口を横に開口させて、流し台４の上で洗浄し終えた手を横移動させて、そのまま手の出し入れ口にいれることができるようにすると、一々手を持ち上げて乾燥機に移動させる必要がなく、手を動かし易くなり便利である。
【００３０】
実施形態１では除湿機４７、ヒータ４６、送風機４８、４９等の各機構は、乾燥機５のケース４１中に内蔵させていたが、作業環境等の状況に応じて、流し台のシンクの下に配設することも可能である。
【００３１】
実施形態１のアルコール消毒機６は、左右夫々のチャンバー５２内に噴霧ノズル５３を２箇所ずつ配置して、手の表裏両面に噴霧できるようにしたが、２箇所ずつ以上にして、手の各方面から噴霧できるようにすることもできる。
【００３２】
石鹸洗浄装置３、乾燥機５及びアルコール消毒機６の本体の表面に、表示部を設けて、各工程の完了信号、手洗いの中断表示、積算時間等を表示することもできる。
【００３３】
【発明の効果】
本件出願の請求項１の手洗・乾燥・消毒装置は次のような効果を有する。
（１）洗浄装置と流し台を組み合わせた洗浄ユニットと、乾燥機と消毒液を霧状に噴霧可能な消毒機とを組み合わせた乾燥・消毒ユニットとを横に並べてセットにしたので、洗浄装置、流し台、乾燥機、消毒機が分離している場合よりもコンパクトになり、設置スペースが狭くなり、設置場所に制約を受けない。また移動も容易であり、掃除もし易い。
（２）消毒機のノズルから消毒液が超微細な霧状になって噴出されるため、手の隅々まで確実に消毒される。
（３）各ユニットを左右自在に入れ替えることが可能であるため、作業環境等の状況に応じて手洗い工程の進行方向を容易に変えることが可能である。
（４）石鹸洗浄装置内で高濃度の石鹸液を約１０倍に希釈して吐出するため、石鹸液吐出ノズルが目詰まりしにくくなる。また、清潔に保つことができる
（５）石鹸液の吐出口と水洗い用の水の吐出口とが一つの蛇口にまとまっているため、手を差し出しているだけ石鹸液での洗浄と、水洗いとが自動的に行われるため、便利である。
【００３４】
本件出願の請求項２の手洗・乾燥・消毒装置は次のような効果を有する。
洗浄ユニットを二台以上横に並べ、それら洗浄ユニットの左右双方又はいずれか一方の横に前記乾燥・消毒ユニットを一台並べたので、洗浄・乾燥・消毒を行う人が集中する時間帯には、時間のかかる手洗を複数の洗浄ユニットに分散して行い、時間のかからない乾燥・消毒を一台の乾燥・消毒ユニットで行なうことができ、洗浄場、乾燥・消毒の効率が良くなり、短時間で多くの人の処理ができる。
【００３５】
本件出願の請求項３の手洗・乾燥・消毒装置は次のような効果を有する。
（１）乾燥機が高速空気を噴射する高速空気噴射ノズルと、温風を噴出する温風噴射ノズルとを備えているので、短時間で乾燥できる。
（２）前記両ノズルが前後及び上下に移動可能であるため、乾燥機内で手を動かさなくとも、手全体を短時間でムラなく、確実に、効率良く乾燥させることができる。
（３）高速空気噴射ノズルを下に、温風噴射ノズルを上にするので、ぬれている手を下まで差し込んで高速空気で水分を飛ばしてから、手を引き上げて温風噴射ノズルで手を乾燥させることができるため、手を乾燥させ易くなる。
【００３６】
本件出願の請求項４の手洗・乾燥・消毒装置は次のような効果を有する。
乾燥機の手の出し入れ口が、流し台の横に開口しているので、流し台で水洗いした手を横移動させて乾燥機に差し込むことができ、手を移動し易い。また、濡れている手を引き上げたり、差し込んだりすることがないため、流し台の周囲が汚れにくくなる。
【００３７】
本件出願の請求項５の手洗・乾燥・消毒装置は次のような効果を有する。
消毒機から噴霧された余剰消毒液が消毒機内で回収されて、流し台の排水管に送り出されるようにしたので、余剰消毒液の処理が容易なる。
【図面の簡単な説明】
【図１】本発明の手洗・乾燥・消毒装置の実施形態の一例を示す斜視図。
【図２】図１に示す手洗・乾燥・消毒装置の石鹸洗浄装置の説明図。
【図３】図１に示す手洗・乾燥・消毒装置の乾燥機の説明図。
【図４】図１に示す手洗・乾燥・消毒装置のアルコール消毒機の説明図。
【図５】従来の手洗・乾燥・消毒装置の概略図。
【符号の説明】
１　手の洗浄ユニット
２　乾燥消毒ユニット
３　石鹸洗浄装置
４　流し台
５　乾燥機
６　アルコール消毒機
７　蛇口
１２　電磁ポンプ（石鹸洗浄装置内）
３９　手の出し入れ口
４０　電磁ポンプ（アルコール消毒機内）
４２　手差し空間
４４　温風噴射ノズル
４５　高速空気噴射ノズル
５０　ノズル駆動機構
５２　チャンバー
５３　噴霧ノズル
【図１】
2004011315.tif 000003
【図２】
2004011315.tif 000004
【図３】
2004011315.tif 000005
【図４】
2004011315.tif 000006
【図５】
2004011315.tif 000007